(57)【特許請求の範囲】
【請求項１】
基地局装置と通信を行なう移動局装置であって、
サウンディング参照信号に対するアンテナポートに関する情報が設定されると、前記アンテナポートに関する情報によって設定されるアンテナポートの数に応じて、前記サウンディング参照信号に対して生成する系列の数を決定し、前記アンテナポートの数に基づいて得られるインデックスに対応する系列を生成することを特徴とする移動局装置。
【請求項２】
前記インデックスに対応する系列を、前記アンテナポートの数および前記インデックス、並びに、サイクリックシフト値に基づいて、生成することを特徴とする請求項１記載の移動局装置。
【請求項３】
前記インデックスに対応するサウンディング参照信号に割り当てられる周波数リソースの周波数オフセット値は、サイクリックシフト値と前記アンテナポートの数に基づいて決定されることを特徴とする請求項１又は２記載の移動局装置。
【請求項４】
自移動局装置がサポートしているレイヤの数に関連するＵＥＣａｐａｂｉｌｉｔｙ情報を前記基地局装置へ送信し、
前記ＵＥＣａｐａｂｉｌｉｔｙ情報に基づいて、前記アンテナポートに関する情報が設定されることを特徴とする請求項１記載の移動局装置。
【請求項５】
前記アンテナポートの数は、物理上りリンク共用チャネルのアンテナポートに関するモードに関連付けられて設定されることを特徴とする請求項１記載の移動局装置。
【請求項６】
アンテナ選択が設定可能な場合、前記アンテナポートの数に基づいて、アンテナ選択を行なうか否かが決定されることを特徴とする請求項１記載の移動局装置。
【請求項７】
アンテナ選択が設定可能な場合、前記アンテナ選択として、１個を超えるアンテナポートが設定されないことを特徴とする請求項１記載の移動局装置。
【請求項８】
前記アンテナポートの数は、上位層によって、設定可能であり、
前記アンテナポートの数に基づいて得られるインデックスに対応する系列を生成することを特徴とする請求項１記載の移動局装置。
【請求項９】
移動局装置と通信を行なう基地局装置であって、
サウンディング参照信号に対するアンテナポートに関する情報を設定し、
前記アンテナポートに関する情報によって設定されるアンテナポートの数に応じた系列の数であって、前記サウンディング参照信号に対して前記移動局装置によって生成される系列の数が決定され、
前記決定された数の系列について、前記移動局装置から送信される前記サウンディング参照信号の系列であって前記アンテナポートの数に基づいて得られるインデックスに対応する系列を検出することを特徴とする基地局装置。
【請求項１０】
前記インデックスに対応する系列として、前記アンテナポートの数および前記インデックス、並びに、サイクリックシフト値に基づいた系列を検出することを特徴とする請求項９記載の基地局装置。
【請求項１１】
前記インデックスに対応するサウンディング参照信号に割り当てられる周波数リソースの周波数オフセット値として、サイクリックシフト値と前記アンテナポートの数に基づいた値が決定され、
前記周波数オフセット値に基づいて、前記サウンディング参照信号の系列を検出することを特徴とする請求項９又は１０記載の基地局装置。
【請求項１２】
前記移動局装置がサポートしているレイヤの数に関連するＵＥＣａｐａｂｉｌｉｔｙ情報を当該移動局装置から受信し、
前記ＵＥＣａｐａｂｉｌｉｔｙ情報に基づいて、前記アンテナポートの数を設定し、
前記アンテナポートに関する情報を、Ｒａｄｉｏ  Ｒｅｓｏｕｒｃｅ  ｃｏｎｔｒｏｌシグナリングを用いて送信することを特徴とする請求項９記載の基地局装置。
【請求項１３】
前記アンテナポートの数を、物理上りリンク共用チャネルのアンテナポートに関するモードに関連付けて設定することを特徴とする請求項９記載の基地局装置。
【請求項１４】
アンテナ選択が設定可能な場合、前記アンテナポートの数に基づいて、アンテナ選択を行なうか否かが決定されることを特徴とする請求項９記載の基地局装置。
【請求項１５】
アンテナ選択が設定可能な場合、前記アンテナ選択として、１個を超えるアンテナポートを設定しないことを特徴とする請求項９記載の基地局装置。
【請求項１６】
前記アンテナポートの数は、上位層によって、設定可能であり、
前記アンテナポートの数に基づいて得られるインデックスに対応する系列を検出することを特徴とする請求項９記載の基地局装置。
【請求項１７】
基地局装置と通信を行なう移動局装置における方法であって、
サウンディング参照信号に対するアンテナポートに関する情報が設定されると、前記アンテナポートに関する情報によって設定されるアンテナポートの数に応じて、前記サウンディング参照信号に対して生成する系列の数を決定するステップと、
前記アンテナポートの数に基づいて得られるインデックスに対応する系列を生成するステップと、
を有することを特徴とする方法。
【請求項１８】
移動局装置と通信を行なう基地局装置における方法であって、
サウンディング参照信号に対するアンテナポートに関する情報を設定し、
前記アンテナポートに関する情報によって設定されるアンテナポートの数に応じた系列の数であって、前記サウンディング参照信号に対して前記移動局装置によって生成される系列の数を決定するステップと、
前記決定された数の系列について、前記移動局装置から送信される前記サウンディング参照信号の系列であって前記アンテナポートの数に基づいて得られるインデックスに対応する系列を検出するステップと、
を有することを特徴とする方法。
【請求項１９】
基地局装置と通信を行なう移動局装置における集積回路であって、
サウンディング参照信号に対するアンテナポートに関する情報が設定されると、前記アンテナポートに関する情報によって設定されるアンテナポートの数に応じて、前記サウンディング参照信号に対して生成する系列の数を決定する機能と、
前記アンテナポートの数に基づいて得られるインデックスに対応する系列を生成する機能と、
を備えることを特徴とする集積回路。
【請求項２０】
移動局装置と通信を行なう基地局装置における集積回路であって、
サウンディング参照信号に対するアンテナポートに関する情報を設定し、
前記アンテナポートに関する情報によって設定されるアンテナポートの数に応じた系列の数であって、前記サウンディング参照信号に対して前記移動局装置によって生成される系列の数を決定する機能と、
前記決定された数の系列について、前記移動局装置から送信される前記サウンディング参照信号の系列であって前記アンテナポートの数に基づいて得られるインデックスに対応する系列を検出する機能と、
を備えることを特徴とする集積回路。
【発明の詳細な説明】
【技術分野】
【０００１】
本発明は、基地局装置および移動局装置から構成される移動通信システムおよび通信方法に関する。
【背景技術】
【０００２】
３ＧＰＰ（3rdGeneration Partnership Project）は、Ｗ−ＣＤＭＡ（Wideband-Code Division Multiple Access）と、ＧＳＭ（登録商標）（Global System for Mobile Communications）とを発展させたネットワークを基本とした移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「ＬＴＥ（Long Term Evolution）」または「ＥＵＴＲＡ（Evolved Universal Terrestrial Radio Access）」とも呼称する）、および、より広帯域な周波数帯域を利用して、さらに高速なデータの送受信を実現する移動通信システム（以下、「ＬＴＥ−Ａ（Long Term Evolution-Advanced）」または「Advanced-EUTRA」とも呼称する）に関する検討が進められている。
【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ−ＳＣ−ＦＤＭＡ（Clustered-Single Carrier-Frequency Division Multipｌe Access、DFT-S-OFDM with Spectrum Division Control、DFT-precoded OFDMとも呼称される）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ−ＳＣ−ＦＤＭＡ方式は、シングルキャリア通信方式の特性上（シングルキャリア特性によって）、データ（情報）を送信する際のＰＡＰＲ（Peak to Average power Ratio：ピーク電力対平均電力比、送信電力）を低く抑えることができるという特徴を持っている。
【０００５】
また、ＬＴＥ−Ａでは、基地局装置が、上りリンクのチャネルを測定するために、移動局装置が、参照信号（以下、サウンディングリファレンスシグナル、SRS：Sounding Reference Signalとも呼称する）を、上りリンクを使用して基地局装置へ送信することが検討されている。基地局装置は、移動局装置から送信されるＳＲＳに基づいて、移動局装置をスケジューリングし、例えば、物理上りリンク共用チャネル（PUSCH；Physical Uplink Shared Channel）リソースの割り当てやＰＵＳＣＨに施すべき変調方式、符号化率の決定などを行なう。
【０００６】
移動局装置によるＳＲＳの送信に関しては、基地局装置が、移動局装置に対して、周期的なＳＲＳ（以下、P-SRS：Periodic SRSとも呼称する）の送信に加えて、非周期的なＳＲＳ（以下、A-SRS：Aperiodic SRS、Dynamic SRS、Scheduled SRSとも呼称する）の送信を指示（要求、トリガ）することが検討されている（非特許文献１、非特許文献２）。
【先行技術文献】
【非特許文献】
【０００７】
【非特許文献１】“Aperiodic SRS for LTE-A”、 3GPP TSG RAN WG1 Meeting #60bis、 R1-102114、April 12-16、 2010。
【非特許文献２】“Further Details on SRS for Release 10”、 3GPP TSG RAN WG1 Meeting #60bis、 R1-101746、 April 12-16、 2010。
【発明の概要】
【発明が解決しようとする課題】
【０００８】
しかしながら、従来の技術では、アンテナ毎の参照信号のリソースの直交性が不十分であったため、基地局装置によって、効率的なスケジューリングを行なえないという問題があった。また、直交性を向上させるためには、基地局装置によって複雑なパラメータ設定を行なう必要があった。
【０００９】
本発明は、このような事情に鑑みてなされたものであり、基地局装置による設定の複雑さを解消し、またアンテナ毎の参照信号のリソースの直交性を改善して、効率的なスケジューリングを行なうことができる移動局装置、基地局装置、方法および集積回路を提供することを目的とする。
【課題を解決するための手段】
【００１０】
（１）上記の目的を達成するために、本発明は、以下のような手段を講じた。すなわち、本発明の移動局装置は、基地局装置と通信を行なう移動局装置であって、サウンディング参照信号に対するアンテナポートに関する情報が設定されると、前記アンテナポートに関する情報によって設定されるアンテナポートの数に応じて、前記サウンディング参照信号に対して生成する系列の数を決定することを特徴としている。
【００１１】
（２）また、本発明の移動局装置は上記の移動局装置であって、前記アンテナポートの数に応じて、前記サウンディング参照信号を送信するアンテナポートｐを決定し、前記アンテナポートｐ毎に前記系列を設定することを特徴としている。
【００１２】
（３）また、本発明の移動局装置は上記の移動局装置であって、前記アンテナポートに関する情報から前記アンテナポートの数が設定されると、前記アンテナポートｐのインデックスと前記アンテナポートの数に基づいて、前記系列を生成することを特徴としている。
【００１３】
（４）また、本発明の基地局装置は、移動局装置と通信を行なう基地局装置であって、  サウンディング参照信号に対するアンテナポートに関する情報を設定し、前記アンテナポートに関する情報によって設定されるアンテナポートの数に応じて、前記サウンディング参照信号に対して前記移動局装置によって生成される系列の数が決定され、前記決定された系列の数だけ、前記移動局装置から送信される前記サウンディング参照信号の系列を復調することを特徴としている。
【００１４】
（５）また、本発明の基地局装置は上記の基地局装置であって、前記アンテナポートの数に応じて、前記サウンディング参照信号が送信されるアンテナポートｐが決定され、前記アンテナポートｐ毎に前記系列が設定されることを特徴としている。
【００１５】
（６）また、本発明の基地局装置は上記の基地局装置であって、前記アンテナポートに関する情報に前記サウンディング参照信号に対するアンテナポートの数を設定すると、前記アンテナポートｐのインデックスと前記アンテナポートの数に基づいて生成された系列が付与されたサウンディング参照信号が前記移動局装置から送信されると認識することを特徴としている。
【００１６】
（７）また、本発明の方法は、基地局装置と通信を行なう移動局装置における方法であって、サウンディング参照信号に対するアンテナポートに関する情報が設定されると、前記アンテナポートに関する情報によって設定されるアンテナポートの数に応じて、前記サウンディング参照信号に対して生成する系列の数を決定するステップを、有することを特徴としている。
【００１７】
（８）また、本発明の方法は上記の方法であって、前記アンテナポートの数に応じて、前記サウンディング参照信号を送信するアンテナポートｐを決定し、前記アンテナポートｐ毎に前記系列を設定することを特徴としている。
【００１８】
（９）また、本発明の方法は上記の方法であって、前記アンテナポートに関する情報から前記アンテナポートの数が設定されると、前記アンテナポートｐのインデックスと前記アンテナポートの数に基づいて、前記系列を生成することを特徴としている。
【００１９】
（１０）また、本発明の方法は、移動局装置と通信を行なう基地局装置における方法であって、サウンディング参照信号に対するアンテナポートに関する情報を設定するステップと、前記アンテナポートに関する情報によって設定するアンテナポートの数に応じて、前記サウンディング参照信号に対して前記移動局装置によって生成される系列の数が決定され、  前記決定された系列の数だけ、前記移動局装置から送信される前記サウンディング参照信号の系列を復調するステップと、を有することを特徴としている。
【００２０】
（１１）また、本発明の方法は上記の方法であって、前記アンテナポートの数に応じて、前記サウンディング参照信号が送信されるアンテナポートｐが決定され、前記アンテナポートｐ毎に前記系列が設定されることを特徴としている。
【００２１】
（１２）また、本発明の方法は上記の方法であって、前記アンテナポートに関する情報に前記サウンディング参照信号に対するアンテナポートの数を設定すると、前記アンテナポートｐのインデックスと前記アンテナポートの数に基づいて生成される系列が付与されたサウンディング参照信号が前記移動局装置から送信されると認識することを特徴としている。
【００２２】
（１３）また、本発明の集積回路は、基地局装置と通信を行なう移動局装置における集積回路であって、サウンディング参照信号に対するアンテナポートに関する情報が設定されると、前記アンテナポートに関する情報によって設定されるアンテナポートの数に応じて、前記サウンディング参照信号に対して生成する系列の数を決定する機能を、備えることを特徴としている。
【００２３】
（１４）また、本発明の集積回路は上記の集積回路であって、前記アンテナポートの数に応じて、前記サウンディング参照信号を送信するアンテナポートｐを決定し、前記アンテナポートｐ毎に前記系列を設定することを特徴としている。
【００２４】
（１５）また、本発明の集積回路は上記の集積回路であって、前記アンテナポートに関する情報から前記アンテナポートの数が設定されると、前記アンテナポートｐのインデックスと前記アンテナポートの数に基づいて、前記系列を生成することを特徴としている。
【００２５】
（１６）また、本発明の集積回路は、移動局装置と通信を行なう基地局装置における集積回路であって、サウンディング参照信号に対するアンテナポートに関する情報を設定する機能と、前記アンテナポートに関する情報によって設定されるアンテナポートの数に応じて、前記サウンディング参照信号に対して前記移動局装置によって生成される系列の数が決定され、前記決定された系列の数だけ、前記移動局装置から送信される前記サウンディング参照信号の系列を復調する機能と、を備えることを特徴としている。
【００２６】
（１７）また、本発明の集積回路は上記の集積回路であって、前記アンテナポートの数に応じて、前記サウンディング参照信号が送信されるアンテナポートｐが決定され、前記アンテナポートｐ毎に前記系列が設定されることを特徴としている。
【００２７】
（１８）また、本発明の集積回路は上記の集積回路であって、前記アンテナポートに関する情報に前記サウンディング参照信号に対する前記アンテナポートの数を設定すると、前記アンテナポートｐのインデックスと前記アンテナポートの数に基づいて生成された系列が付与されたサウンディング参照信号が前記移動局装置から送信されることを認識することを特徴としている。
【発明の効果】
【００２８】
本発明によれば、基地局装置による設定の複雑さを解消し、またアンテナ毎の参照信号のリソースの直交性を改善して、効率的なスケジューリングを行なうことができる。
【図面の簡単な説明】
【００２９】
【図１】本発明の第１の実施形態に係る物理チャネルの構成を概念的に示す図である。
【図２】同実施形態に係る基地局装置の概略構成を示すブロック図である。
【図３】同実施形態に係る移動局装置の概略構成を示すブロック図である。
【図４】同実施形態に係る上りリンクのサブフレーム構成の例を示す図である。
【図５】同実施形態に係る上りリンクのＳＲＳ送信の例を示す図である。
【図６】同実施形態に係る上りリンクのＳＲＳ送信の手続きの例を示す図である。
【図７】同実施形態に係る上りリンクのＳＲＳのリソースの例を示す図である。
【図８】同実施形態に係るＳＲＳ送信に用いるＳＲＳリソース群の例を示す図である。
【図９】同実施形態に係るＳＲＳ送信に用いるＳＲＳリソース群の他の例を示す図である。
【図１０】同実施形態に係るＳＲＳ送信に用いるＳＲＳリソース群の他の例を示す図である。
【図１１】同実施形態に係るＳＲＳの多重方法の例を示す図である。
【図１２】本発明の第２の実施形態に係る送信アンテナ選択の機能の設定の例を示す図である。
【発明を実施するための形態】
【００３０】
（第１の実施形態）
本発明に係る第１の実施形態について、図面を参照しながら説明する。図１は、本発明の第１の実施形態におけるチャネルの一構成例を示す図である。下りリンクの物理チャネルは、物理下りリンク制御チャネル（PDCCH：Physical Downlink Control Channel）、物理下りリンク共用チャネル（PDSCH：Physical Downlink Shared Channel）を含んで構成される。上りリンクの物理チャネルは、物理上りリンク共用チャネル(PUSCH：Physical Uplink Shared Channel）、物理上りリンク制御チャネル（PUCCH：Physical Uplink Control Channel）を含んで構成される。
【００３１】
また、基地局装置１００は、下りリンク参照信号（DRS：Downlink Reference Signal、下りリンクパイロット信号、下りリンクパイロットチャネルとも呼称する）を、移動局装置２００へ送信する。また、移動局装置２００は、上りリンク参照信号（URS：Uplink Reference Signal、上りリンクパイロット信号、上りリンクパイロットチャネルとも呼称する）を基地局装置１００へ送信する。ここで、上りリンク参照信号には、基地局装置１００が、主に、ＰＵＣＣＨおよび／またはＰＵＳＣＨを復調するために使用する復調参照信号(DMRS：Demodulation Reference Signal）が含まれる。また、上りリンク参照信号には、基地局装置１００が、主に、上りリンクのチャネル状態を推定するために使用するサウンディング参照信号（SRS：Sounding Reference Signal）が含まれる。なお、ＳＲＳは、サウンディング参照シンボル（Sounding Reference Symbol）とも呼称する場合もある。
【００３２】
ＰＤＣＣＨは、ＰＤＳＣＨのリソース割り当て、下りリンクデータに対するＨＡＲＱ（Hybrid Automatic Repeat reQuest）処理情報、および、ＰＵＳＣＨのリソース割り当てなどを、移動局装置２００に通知（指定）するために使用されるチャネルである。ＰＤＣＣＨは、複数の制御チャネル要素（CCE：Control Channel Element）から構成され、移動局装置２００は、ＣＣＥから構成されるＰＤＣＣＨを検出することによって、基地局装置１００からのＰＤＣＣＨを受信する。このＣＣＥは、周波数、時間領域において分散している複数のリソースエレメントグループ（REG：Resource Element Group、mini-CCEとも呼ばれる）によって構成される。ここで、リソースエレメントとは、１ＯＦＤＭシンボル（時間成分）、１サブキャリア（周波数成分）で構成される単位リソースである。
【００３３】
また、ＰＤＣＣＨによって送信される下りリンク制御情報（DCI：Downlink Control Information）には、複数のフォーマットが定義される。以下、下りリンク制御情報のフォーマットを、ＤＣＩフォーマット（DCI format）とも呼称する。
【００３４】
例えば、下りリンクに対するＤＣＩフォーマットとしては、基地局装置１００が、ＰＤＳＣＨを１つの送信アンテナポート、または、複数の送信アンテナポートを使用して送信ダイバーシチ方式で送信する際に用いられるＤＣＩフォーマット１／１Ａが定義される。また、例えば、下りリンクに対するＤＣＩフォーマットとしては、基地局装置１００が、ＰＤＳＣＨを、ＭＩＭＯ（Multiple Input Multiple Output）を利用したＳＭ（空間多重：Spatial Multiplexing）で送信する際に用いられるＤＣＩフォーマット２が定義される。ここで、ＤＣＩフォーマットは、同じビット数を持った複数のＤＣＩフォーマット、異なるビット数を持った複数のＤＣＩフォーマットを定義することができる。
【００３５】
また、例えば、上りリンクに対するＤＣＩフォーマットとしては、移動局装置２００が、ＰＵＳＣＨを１つの送信アンテナポートで送信する際に用いられるＤＣＩフォーマット０が定義される。また、例えば、上りリンクスケジューリングに対するＤＣＩフォーマットとしては、移動局装置２００が、ＰＵＳＣＨを、ＭＩＭＯを利用したＳＭで送信する際に用いられるＤＣＩフォーマット０Ａが用意される。
【００３６】
また、例えば、ＤＣＩフォーマットとして、複数の移動局装置２００に対するグループスケジューリングに使用されるＤＣＩフォーマットが定義される。例えば、ＤＣＩフォーマットとして、複数の移動局装置２００に対する複数のＴＰＣコマンド（Transmission Power Control Command）を含むＤＣＩフォーマット３／３Ａが定義される。例えば、基地局装置１００は、識別子と１つのインデックスを移動局装置２００へ通知し、移動局装置２００は、基地局装置１００から通知された識別子によって識別されるＤＣＩフォーマット３／３Ａに含まれるインデックスに対応するＴＰＣコマンドを、自装置宛のＴＰＣコマンドとして認識する。
【００３７】
ここで、基地局装置１００は、ＤＣＩフォーマット３／３Ａを使用して移動局装置２００へ通知するＴＰＣコマンドが、ＰＵＣＣＨに対するＴＰＣコマンドなのか、または、ＰＵＳＣＨ（PUSCHとSRSでも良い）に対するコマンドなのか、を識別するために、２つの識別子を移動局装置２００へ通知することもできる。すなわち、基地局装置１００は、移動局装置２００に対して、２つの識別子それぞれにつき１つのインデックスを通知することができる。ここで、基地局装置１００によって通知される２つの識別子のうち、ＰＵＣＣＨに対するＴＰＣコマンドが含まれるＤＣＩフォーマットに施される識別子を、ＴＰＣ−ＰＵＣＣＨ−ＲＮＴＩとも呼称する。また、ＰＵＳＣＨ（PUSCHとSRSでも良い）に対するＴＰＣコマンドが含まれるＤＣＩフォーマットに施される識別子をＴＰＣ−ＰＵＳＣＨ−ＲＮＴＩとも呼称する。
【００３８】
また、複数の移動局装置２００に対するグループスケジューリングに使用されるＤＣＩフォーマット３／３Ａは、複数の移動局装置２００によって受信される（検出される）必要があるために、全ての移動局装置２００がＰＤＣＣＨの検索（検出）を試みる共通検索領域（CSS：Common Search Spaceとも呼称する）に配置される。ここで、ある（特定の）移動局装置２００宛てのＰＤＣＣＨは、ある（特定の）移動局装置２００がＰＤＣＣＨの検索（検出）を試みる移動局装置固有検索領域（USS：User equipment specific Search Space, UE specific Search Spaceとも呼称する）に配置される。
【００３９】
基地局装置１００は、ＤＣＩを基に生成した巡回冗長検査（CRC：Cyclic Redundancy Check）符号を、ＲＮＴＩ（Radio Network Temporary Identifier）でスクランブル（scramble）した系列をＤＣＩに付与して、移動局装置２００へ送信する。移動局装置２００は、巡回冗長検査符号がいずれのＲＮＴＩでスクランブルされているかに応じて、ＤＣＩの解釈を変更する。例えば、移動局装置２００は、ＤＣＩが、基地局装置１００から割り当てられたＣ−ＲＮＴＩ（Cell-Radio Network Temporary Identifier）によって巡回冗長検査符号がスクランブルされていた場合には、そのＤＣＩを、自装置宛のＤＣＩだと判断する。
【００４０】
ＰＤＣＣＨは、移動局装置２００ごと、種別ごとに別々に符号化（Separate Coding）される。すなわち、移動局装置２００は、複数のＰＤＣＣＨを検出して、下りリンクのリソース割り当てや、上りリンクのリソース割り当てや、その他の制御情報を取得する。各ＰＤＣＣＨには、そのフォーマットを識別可能なＣＲＣ（巡回冗長検査）の値が付与されており、移動局装置２００は、ＰＤＣＣＨが構成される可能性のあるＣＣＥのセットのそれぞれに対してＣＲＣを行ない、ＣＲＣが成功したＰＤＣＣＨを、自装置宛のＰＤＣＣＨとして取得する。これは、ブラインドデコーディング（blind decoding）とも呼称され、移動局装置２００が、ブラインドデコーディングを行なうＰＤＣＣＨが構成される可能性のあるＣＣＥのセットの範囲は、検索領域（Search Space）と呼称される。すなわち、移動局装置２００は、検索領域内のＣＣＥに対して、ブラインドデコーディングを行ない、自装置宛のＰＤＣＣＨの検出を行なう。
【００４１】
移動局装置２００は、自装置宛のＰＤＣＣＨに、ＰＤＳＣＨのリソース割り当てが含まれる場合、基地局装置１００からのＰＤＣＣＨによって指示されたリソース割り当てに応じて、ＰＤＳＣＨを使用して、下りリンク信号（下りリンクデータ（下りリンク共用チャネル（DL-SCH）に対するトランスポートブロック）および／または下りリンク制御データ（下りリンク制御情報）および／または下りリンク参照信号（DRS））を受信する。すなわち、このＰＤＣＣＨは、下りリンクに対するリソース割り当てを行なう信号（以下、「下りリンク送信許可信号」、「下りリンクグラント」とも呼称する）とも言える。
【００４２】
また、移動局装置２００は、自装置宛のＰＤＣＣＨに、ＰＵＳＣＨのリソース割り当てが含まれる場合、基地局装置１００からのＰＤＣＣＨによって指示されたリソース割り当てに応じて、ＰＵＳＣＨを使用して、上りリンク信号（上りリンクデータ（上りリンク共用チャネル（UL-SCH）に対するトランスポートブロック）および／または上りリンク制御データ（上りリンク制御情報）および／または上りリンク参照信号（URS））を送信する。すなわち、このＰＤＣＣＨは、上りリンクに対するデータ送信を許可する信号（以下、「上りリンク送信許可信号」、「上りリンクグラント」とも呼称する）とも言える。
【００４３】
ＰＤＳＣＨは、下りリンクデータ（下りリンク共用チャネル（DL-SCH）に対するトランスポートブロック）またはページング情報（ページングチャネル：PCH）を送信するために使用されるチャネルである。基地局装置１００は、ＰＤＣＣＨによって割り当てたＰＤＳＣＨを使用して、下りリンクトランスポートブロック（下りリンク共用チャネル（DL-SCH）に対するトランスポートブロック）を移動局装置２００へ送信する。
【００４４】
ここで、下りリンクデータとは、例えば、ユーザーデータを示しており、ＤＬ−ＳＣＨは、トランスポートチャネルである。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００４５】
ＰＵＳＣＨは、主に、上りリンクデータ（上りリンク共用チャネル（UL-SCH）に対するトランスポートブロック）を送信するために使用されるチャネルである。移動局装置２００は、基地局装置１００から送信されたＰＤＣＣＨによって割り当てられたＰＵＳＣＨを使用して、上りリンクトランスポートブロック（上りリンク共用チャネル（UL-SCH）に対するトランスポートブロック）を基地局装置１００へ送信する。また、基地局装置１００が、移動局装置２００をスケジューリングした場合には、上りリンク制御情報（UCI）もＰＵＳＣＨを使用して送信される。
【００４６】
ここで、上りリンクデータとは、例えば、ユーザーデータを示しており、ＵＬ−ＳＣＨは、トランスポートチャネルである。また、ＰＵＳＣＨは、時間領域、周波数領域によって定義される（構成される）物理チャネルである。ＵＬ−ＳＣＨでは、ＨＡＲＱ、動的適応無線リンク制御がサポートされ、また、ビームフォーミングを利用可能である。ＵＬＳＣＨは、動的なリソース割り当て、および、準静的なリソース割り当てがサポートされる。
【００４７】
ここで、上りリンクデータ（UL-SCH）および下りリンクデータ（DL-SCH）には、基地局装置１００と移動局装置２００の間でやり取りされる無線資源制御信号（以下、「RRCシグナリング：Radio Resource Control Signaling」と呼称する）が含まれていても良い。また、上りリンクデータ（UL-SCH）および下りリンクデータ（DL-SCH）には、基地局装置１００と移動局装置２００の間でやり取りされるＭＡＣ（Medium Access control）コントロールエレメントが含まれていても良い。
【００４８】
基地局装置１００と移動局装置２００は、ＲＲＣシグナリングを上位層（無線リソース制御（Radio Resource control）層）において送受信する。また、基地局装置１００と移動局装置２００は、ＭＡＣコントロールエレメントを上位層（媒体アクセス制御（MAC：Medium Access control）層）において送受信する。
【００４９】
ＰＵＣＣＨは、上りリンク制御情報（UCI）を送信するために使用されるチャネルである。ここで、上りリンク制御情報には、チャネル状態情報（CSI）や、チャネル品質識別子（CQI）や、プレコーディングマトリックス識別子（PMI）や、ランク識別子（RI）が含まれる。また、上りリンク制御情報には、下りリンクトランスポートブロックに対するＨＡＲＱにおけるＡＣＫ／ＮＡＣＫを示す情報が含まれる。また、上りリンク制御情報には、移動局装置２００が上りリンクデータを送信するためのリソースの割り当てを要求する（UL-SCHでの送信を要求する）スケジューリング要求が含まれる。
【００５０】
［基地局装置１００の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００５１】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００５２】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００５３】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００５４】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００５５】
スケジューリング部１０４は、媒体アクセス制御（MAC：Medium Access Control）層の処理を行なう。スケジューリング部１０４は、論理チャネルとトランスポートチャネルのマッピング、下りリンクおよび上りリンクのスケジューリング（HARQ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００５６】
スケジューリング部１０４は、下りリンクのスケジューリングでは、移動局装置２００から受信した上りリンク信号（CSI、CQI、PMI、RIや、下りリンクトランスポートブロックに対するACK/NACKを示す情報や、スケジューリング要求や、参照信号など）や、各移動局装置２００の使用可能なＰＲＢの情報や、バッファ状況や、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００５７】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００５８】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００５９】
チャネル推定部１０５は、上りリンクデータの復調のために、ＤＭＲＳから上りリンクのチャネル状態を推定し、その推定結果を受信データ復調部１０６に出力する。また、上りリンクのスケジューリングを行なうために、ＳＲＳから上りリンクのチャネル状態を推定し、その推定結果をスケジューリング部１０４に出力する。
【００６０】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（DFT-S-OFDM）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６１】
データ抽出部１０７は、受信データ復調部１０６から入力されたデータに対して、正誤を確認するとともに、確認結果（ACKまたはNACK）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩ、ＣＱＩ、ＰＭＩ、ＲＩや、下りリンクトランスポートブロックに対するＡＣＫ／ＮＡＣＫを示す情報や、スケジューリング要求などが含まれている。
【００６２】
上位層１０８は、パケットデータ統合プロトコル（PDCP：Packet Data Convergence Protocol）層、無線リンク制御（RLC：Radio Link Control）層、無線リソース制御（RRC：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６３】
上位層１０８は、無線リソース制御部１１０（制御部とも言う）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（UEID）の管理などを行なっている。上位層１０８は、別の基地局装置１００への情報および上位ノードへの情報の授受を行なう。
【００６４】
［移動局装置２００の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００６５】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００６６】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００６７】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００６８】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００６９】
スケジューリング部２０４は、媒体アクセス制御（MAC：Medium Access Control）層の処理を行なう。スケジューリング部１０４は、論理チャネルとトランスポートチャネルのマッピング、下りリンクおよび上りリンクのスケジューリング（HARQ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７０】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７１】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００７２】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたＣＳＩや、ＣＱＩや、ＰＭＩや、ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７３】
チャネル推定部２０５は、下りリンクデータの復調のために、復調参照信号から下りリンクのチャネル状態を推定し、その推定結果を受信データ復調部２０６に出力する。また、チャネル推定部２０５は、基地局装置１００に下りリンクのチャネル状態（無線伝搬路状態、CSI、CQI、PMI、RI）の推定結果を通知するために、下りリンク参照信号から下りリンクのチャネル状態を推定し、この推定結果を、例えば、ＣＳＩや、ＣＱＩや、ＰＭＩや、ＲＩとして、スケジューリング部２０４に出力する。
【００７４】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００７５】
データ抽出部２０７は、受信データ復調部２０６から入力されたデータに対して、ＣＲＣチェックを行ない、正誤を確認するとともに、確認結果（ACKまたはNACKを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００７６】
上位層２０８は、パケットデータ統合プロトコル（PDCP：Packet Data Convergence Protocol）層、無線リンク制御（RLC：Radio Link Control）層、無線リソース制御（RRC：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７７】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（UEID）の管理を行なう。
【００７８】
図４は、上りリンクのサブフレーム構成を示す図である。１つのサブフレームは２つのスロットを含んで構成される。サブフレーム構成は、ＮｏｒｍａｌＣＰサブフレームとＥｘｔｅｎｄｅｄ ＣＰサブフレームに分類することができ、いずれのサブフレーム構成を用いるかはセル毎に設定することができる。ＮｏｒｍａｌＣＰサブフレームは、サブフレームあたり１４個のＳＣ−ＦＤＭＡシンボルを有する。また、Ｅｘｔｅｎｄｅｄ ＣＰサブフレームは、サブフレームあたり１２個のＳＣ−ＦＤＭＡシンボルを有する。このため、Ｅｘｔｅｎｄｅｄ ＣＰサブフレームはＮｏｒｍａｌ ＣＰサブフレームに比べて最大伝送レートが低い。一方、ＥｘｔｅｎｄｅｄＣＰサブフレームにおけるＣＰの長さはＮｏｒｍａｌ ＣＰサブフレームにおけるＣＰの長さよりも長い。このため、ＥｘｔｅｎｄｅｄＣＰサブフレームはＮｏｒｍａｌ ＣＰサブフレームよりも伝搬遅延に対する耐性が強く、一般に伝搬遅延が大きい環境（周波数選択性が激しい環境）で用いられる。ＳＲＳは、サブフレームの最後尾に位置するＳＣ−ＦＤＭＡシンボルを用いて送信される。
【００７９】
図５は、上りリンクのＳＲＳ送信の概略を示す図である。移動局装置２００は基地局装置１００にＳＲＳを送信する。この図では、移動局装置２００が４本の送信アンテナ（送信アンテナポート、あるいは送信に用いる論理ポート）であるアンテナ５０１〜５０４を有している場合を示している。ただし、これは一例であって、移動局装置２００毎に送信アンテナ数を個別に設定することもできる。例えば、４本の送信アンテナを有する移動局装置２００と、２本の送信アンテナを有する移動局装置２００と、１本の送信アンテナを有する移動局装置２００とが、同じ基地局装置１００と通信を行なうことができる。移動局装置２００は４本の送信アンテナからそれぞれ個別のＳＲＳであるＳＲＳ５０５〜５０８を送信する。ここで、ＳＲＳ５０５〜５０８は、ＣＤＭ（Code Division Multiplex）、ＩＦＤＭ（Interleaved Frequency Division Multiplex）あるいはＦＤＭ（Frequency Division Multiplex）、ＴＤＭ（Time Division Multiplex）などの方法を用いて多重される。ＳＲＳの多重方法の詳細に関しては後述する。
【００８０】
図６は、上りリンクのＳＲＳ送信の手続きを示す図である。基地局装置１００は下りリンク信号を送信している（ステップＳ１）。移動局装置２００は、基地局装置１００が送信する下りリンク信号を受信し、基地局装置１００のサブフレーム構成がＮｏｒｍａｌＣＰサブフレームであるか、Ｅｘｔｅｎｄｅｄ ＣＰサブフレームであるかを識別する（ステップＳ３）。
【００８１】
次に、移動局装置２００はポート数を明示的あるいは黙示的に通知する（ステップＳ５）。明示的に通知する方法としては、例えば、ＲＲＣシグナリングなどの上位層でのシグナリングにポート数を通知するためのフィールドを準備しておき、このフィールドを用いて通知する。黙示的に通知する方法としては、例えば、端末性能の指標であるＵＥＣａｐａｂｉｌｉｔｙに関連付けることができる。より具体的には、サポートするレイヤ数と一対一対応で送信アンテナ数を関連付けておき、移動局装置２００はＵＥＣａｐａｂｉｌｉｔｙとしてサポートするレイヤ数を通知すればよい。なお、移動局装置２００からのポート数の通知が完了するまでは、基地局装置１００と移動局装置２００は、移動局装置２００が１つのポートを持つ移動局装置２００であるものとして通信を行なう。また、ここでは移動局装置２００毎にポート数が固定の場合について説明するが、これに限るものではない。例えば、ＳＲＳを送信するポート数を移動局装置２００が適応的に選択することもできる。この場合、ＳＲＳスケジューリングの前段階で、ＳＲＳを送信するポート数を移動局装置２００から基地局装置１００に通知すればよい。
【００８２】
ポート数の通知を受けた基地局装置１００は、移動局装置２００のＳＲＳのスケジューリングを行ない（ステップＳ７）、ＳＲＳパラメータを移動局装置２００にシグナリングする（ステップＳ９）。例えば、ＲＲＣシグナリングなどの上位層でのシグナリングを用いることができる。移動局装置２００は、基地局装置１００からシグナリングされたＳＲＳパラメータに基づいてＳＲＳ送信の設定を行ない（ステップＳ１１）、ＳＲＳを送信する（ステップＳ１３）。基地局装置１００は移動局装置２００から送信されたＳＲＳを測定し（ステップＳ１５）、移動局装置２００と基地局装置１００との間のチャネル状態を推定する。
【００８３】
ここで、ＳＲＳとしてＰ−ＳＲＳを送信する手続きの場合は、ＳＲＳパラメータすなわちＰ−ＳＲＳパラメータには、移動局装置２００がＰ−ＳＲＳを送信する際のインターバル（送信周期）が含まれる。また、Ｐ−ＳＲＳパラメータには、移動局装置２００がＰ−ＳＲＳを送信するための送信帯域幅（SRS送信帯域幅）が含まれる。また、Ｐ−ＳＲＳパラメータには、Ｐ−ＳＲＳを配置する周波数位置を示す周波数割り当て位置を示す情報が含まれる。また、Ｐ−ＳＲＳパラメータには、移動局装置２００間または信号間の直交性を維持するために使用されるリソースを指定するための情報が含まれる。
【００８４】
さらに好ましくは、Ｐ−ＳＲＳパラメータには、Ｐ−ＳＲＳの送信を満了するための送信回数または送信停止時間が含まれる。また、Ｐ−ＳＲＳパラメータには、Ｐ−ＳＲＳを送信するアンテナポートを示す情報が含まれる。また、Ｐ−ＳＲＳパラメータには、ＭＩＭＯのように複数のアンテナを同時に使用してＰ−ＳＲＳの送信を行なうか否かを示す複数アンテナ同時送信フラグが含まれる。また、Ｐ−ＳＲＳパラメータには、Ｐ−ＳＲＳに対するＴＰＣコマンド（送信電力制御情報）が含まれる。
【００８５】
また、ここで、ＳＲＳとしてＡ−ＳＲＳを送信する手続きの場合は、ＳＲＳパラメータすなわちＡ−ＳＲＳパラメータには、移動局装置２００がＡ−ＳＲＳを送信する際の送信帯域幅（ＳＲＳ送信帯域幅）が含まれる。また、Ａ−ＳＲＳパラメータには、Ａ−ＳＲＳを配置する周波数位置を示す周波数割り当て位置を示す情報が含まれる。
【００８６】
さらに好ましくは、Ａ−ＳＲＳパラメータには、移動局装置２００間または信号間の直交性を維持するために使用されるリソースを指定するための情報が含まれる。また、Ａ−ＳＲＳパラメータには、Ａ−ＳＲＳの送信を満了するための送信回数または送信停止時間が含まれる。また、Ａ−ＳＲＳパラメータには、Ａ−ＳＲＳを送信するアンテナポートを示す情報が含まれる。また、Ａ−ＳＲＳパラメータには、ＭＩＭＯのように複数のアンテナを同時に使用してＡ−ＳＲＳの送信を行なうか否かを示す複数アンテナ同時送信フラグが含まれる。また、Ａ−ＳＲＳパラメータには、Ａ−ＳＲＳに対するＴＰＣコマンド（送信電力制御情報）が含まれる。
【００８７】
図７は、上りリンクのＳＲＳのリソースを示す図である。ここでは、ＣＤＭとＦＤＭ（あるいはIFDM）を併用して規定されたリソースを用いてＳＲＳを送信する場合について説明する。周波数方向に櫛形のスペクトルを持ち、互いに１サブキャリア分だけ周波数シフトした２つの周波数リソースと、８つの符号であるＣ＃０〜７に対応する８つの符号リソースとから成る１６個のＳＲＳリソースであるＳＲＳリソースＲ＃０〜１５を示している。ポート毎に、それぞれ一つのＳＲＳリソースを用いてＳＲＳを送信する。ここで、ＣＤＭのための符号としては、例えば、ＣＡＺＡＣ（Constant Amplitude Zero Auto Correlation）系列など基準となる系列にサイクリックシフト（CS：Cyclic Shift）を適用した系列を用いることができる。
【００８８】
図８は、２ポートのＳＲＳ送信に用いるＳＲＳリソース群を示す図である。ここで、図中の同じ網掛けパターンのＳＲＳリソースが１つのＳＲＳリソース群を構成していることを示している。各ＳＲＳリソース群は、１つの移動局装置２００の２ポートのＳＲＳ送信に用いる２つのＳＲＳリソースから構成される。すなわち、任意の移動局装置２００は、ＳＲＳリソース群＃０〜７のいずれかのＳＲＳリソース群を用いて２ポート分のＳＲＳを送信する。その際、用いるＳＲＳリソース群を構成する２つのＳＲＳリソースのそれぞれを用いて、２ポート分のＳＲＳのそれぞれを送信する。
【００８９】
次に図８に示す例におけるＳＲＳリソースの指定方法について説明する。１つの移動局装置２００のポートｐに対応する符号リソースの指定方法としては、数式（３７）で示されるような長さＮの系列ｒ（α（ｐ））ｕ，ｖ（ｎ）を用いることができる（ただし、ｎ＝０、１、２、・・・、Ｎ−１）。
【数３７】
0005932706.tif 000002
・・・（３７）
ここで、ｒ０ｕ，ｖ（ｎ）は基準となる長さＮの系列であり、α（ｐ）は数式（３８）で示される値であり、ポートｐにおけるＣＳを示す。
【数３８】
0005932706.tif 000003
・・・（３８）
ここで、ｎＣＳ，ＰＳＲＳは数式（３９）で示される値であり、ポートｐに対して個別に設定される値である。
【数３９】
0005932706.tif 000004
・・・（３９）
ここで、ｎＣＳＳＲＳは移動局装置２００に固有に設定される値であり、ＳＲＳパラメータにより指定される。また、Ｎｐはポート数である。すなわち、基地局装置１００が移動局装置２００に固有のパラメータであるｎＣＳＳＲＳと基準系列であるｒ０ｕ，ｖ（ｎ）を指定することにより、移動局装置２００はそれぞれのポートに対応する符号リソースを設定することができる。
【００９０】
また、１つの移動局装置２００のポートｐに対応する周波数リソースの指定方法としては、数式（４０）で示されるような周波数オフセット値ｋｐＴＣを用いることができる。
【数４０】
0005932706.tif 000005
・・・（４０）
ここで、ｋＴＣは移動局装置２００に固有に設定される値であり、ＳＲＳパラメータにより指定される。ｋＴＣは０または１であり、周波数オフセット値ｋｐＴＣが０の場合は１つ目の櫛形スペクトルであるＣｏｍｂ＃０を用い、ｋｐＴＣが１の場合はＣｏｍｂ＃０から１サブキャリア分だけ周波数オフセットされた櫛形スペクトルであるＣｏｍｂ＃１を用いる。図８の例では、１つの移動局装置２００のすべてのポートｐに対してｋｐＴＣが同じであるため、移動局装置２００はすべてのポートに対して同じ周波数リソース（櫛形スペクトル）を用いる。すなわち、基地局装置１００が移動局装置２００に固有のパラメータであるｋＴＣを指定することにより、移動局装置２００はそれぞれのポートに対応する周波数リソースを設定することができる。なお、ここでは２種類の周波数オフセット値に対応する２種類の櫛形スペクトルを周波数リソースとして用いる場合について説明したが、これに限るものではない。例えば、ｍ種類の櫛形スペクトルを用いる場合は、ｋＴＣが０、１、２、・・・、ｍ−１の値を取るようにしておき、櫛形の周波数ピッチをｍサブキャリアにすればよい。
【００９１】
以上のように、図８に示す例におけるＳＲＳリソースの指定方法は、移動局装置２００に固有に設定されるｎＣＳＳＲＳとｒ０ｕ，ｖ（ｎ）とｋＴＣとにより、２ポートそれぞれに対応する２つの符号リソースと２ポートに対し共通で用いる１つの周波数リソースを指定するものである。
【００９２】
図９は、４ポートのＳＲＳ送信に用いるＳＲＳリソース群を示す図である。各ＳＲＳリソース群は、１つの移動局装置２００の４ポートのＳＲＳ送信に用いる４つのＳＲＳリソースから構成される。すなわち、任意の移動局装置２００は、ＳＲＳリソース群０〜４のいずれかのＳＲＳリソース群を用いて４ポート分のＳＲＳを送信する。その際、用いるＳＲＳリソース群を構成する４つのＳＲＳリソースのそれぞれを用いて、４ポート分のＳＲＳのそれぞれを送信する。
【００９３】
図９に示す例におけるＳＲＳリソースの指定方法は、図８に示す例におけるＳＲＳリソースの指定方法と同様の方法を用いることができる。すなわち、基地局装置１００が移動局装置２００に固有に設定されるｎＣＳＳＲＳとｒ０ｕ，ｖ（ｎ）とｋＴＣとを指定し、数式（３７）〜（４０）を用いることにより、４ポートそれぞれに対応する４つの符号リソースと４ポートに対し共通で用いる１つの周波数リソースを指定するものである。
【００９４】
図１０は、４ポートのＳＲＳ送信に用いる他のＳＲＳリソース群を示す図である。各ＳＲＳリソース群は、１つの移動局装置２００の４ポートのＳＲＳ送信に用いる４つのＳＲＳリソースから構成される。すなわち、任意の移動局装置２００は、ＳＲＳリソース群＃０〜３のいずれかのリソース群を用いて４ポート分のＳＲＳを送信する。その際、用いるＳＲＳリソース群を構成する４つのＳＲＳリソースのそれぞれを用いて、４ポート分のＳＲＳのそれぞれを送信する。
【００９５】
図１０に示す例におけるＳＲＳリソースの指定方法は、図８に示す例におけるＳＲＳリソースの指定方法と符号リソースの指定に関しては同様の方法を用いることができる。一方、周波数リソースに関しては、ポート毎に用いる櫛形スペクトルを指定する。より具体的には、１つの移動局装置２００のポートｐに対応する周波数リソースの指定方法としては、ポートｐが０または２の場合は数式（４０）で示されるような周波数オフセット値ｋｐＴＣを用い、ポートｐが１または３の場合は数式（４１）で示されるような周波数オフセット値ｋｐＴＣを用いる。
【数４１】
0005932706.tif 000006
・・・（４１）
ここで、ｋＴＣは移動局装置２００に固有に設定される値であり、ＳＲＳパラメータにより指定される。ｋＴＣは０または１であり、周波数オフセット値ｋｐＴＣが０の場合は１つ目の櫛形スペクトルであるＣｏｍｂ＃０を用い、ｋｐＴＣが１の場合はＣｏｍｂ＃０から１サブキャリア分だけ周波数オフセットされた櫛形スペクトルであるＣｏｍｂ＃１を用いる。より一般的な表現で表せば、１つの移動局装置２００のポートｐに対応する周波数リソースの指定方法としては、数式（４２）で示されるような周波数オフセット値ｋｐＴＣを用いる。
【数４２】
0005932706.tif 000007
・・・（４２）
ここで、Ｋは異なる周波数オフセット値を有する櫛形スペクトルの数である。ｋｐはポートｐ毎に固定値あるいはｐとＫとから算出される値を用いることができる。
【００９６】
すなわち、図１０に示す例におけるＳＲＳリソースの指定方法としては、基地局装置１００が移動局装置２００に固有に設定されるｎＣＳＳＲＳとｒ０ｕ，ｖ（ｎ）とｋＴＣとを指定し、数式（３７）〜（４０）および（４１）（あるいは数式（３７）〜（３９）および（４２））を用いることにより、４ポートそれぞれに対応する４つの符号リソースと４ポートそれぞれに対応する４つの周波数リソースを指定するものである。
【００９７】
ここで、図８では、各ＳＲＳリソース群における２ポートのＳＲＳ送信に用いる周波数リソースは同じであるため、ＳＲＳのスケジューリングの複雑性を低減することができる。また、この２つのリソース間の符号間距離は大きいため、周波数選択性が高い環境であっても２ポートのＳＲＳ間の直交性を保つことができる。
【００９８】
また、図９では、各ＳＲＳリソース群における４ポートのＳＲＳ送信に用いる周波数リソースは同じであるため、ＳＲＳのスケジューリングの複雑性を低減することができる。
【００９９】
また、図１０では、各ＳＲＳリソース群における４ポートのＳＲＳ送信に用いる周波数リソースをポート毎に決定することにより、符号リソース間の符号間距離を図９の場合よりも大きくすることができる。また、周波数オフセットによる多重は符号多重に比べて周波数選択性に対する耐性が強いため、周波数選択性が高い環境であっても４ポートのＳＲＳ間の直交性を保つことができる。
【０１００】
すなわち、図１１に示すような多重方法を用いることにより、スケジューリングの複雑性を低減しながら、周波数選択性に対して耐性が強いＳＲＳ送信の設定を行なうことができる。図１１はＳＲＳの多重方法の組み合わせを示す図である。周波数選択性が比較的低い環境で用いられるＮｏｒｍａｌＣＰを用いるセル、および周波数選択性が比較的高い環境で用いられるＥｘｔｅｎｄｅｄ ＣＰを用いるセルの両方において、２ポートのＳＲＳを送信する移動局装置２００に対しては、２ポートのＳＲＳを符号多重するように設定する。また、ＮｏｒｍａｌＣＰを用いるセルにおいて、４ポートのＳＲＳを送信する移動局装置２００に対しては、４ポートのＳＲＳを符号多重するように設定する。一方、ＥｘｔｅｎｄｅｄＣＰを用いるセルにおいて、４ポートのＳＲＳを送信する移動局装置２００に対しては、４ポートのＳＲＳを符号多重と櫛形のオフセットによる周波数多重とを複合的に用いて多重するように設定する。
【０１０１】
このように、周波数選択性が比較的低い環境で用いられるＮｏｒｍａｌ ＣＰを用いるセルであるか、周波数選択性が比較的高い環境で用いられるＥｘｔｅｎｄｅｄ ＣＰを用いるセルであるか、および送信する（多重する）ＳＲＳのポート数に応じて、ＳＲＳのポート間の多重方法を切り替える。これにより、スケジューリングの複雑性を低減しながら、ＳＲＳの直交性を保つようなＳＲＳ送信の設定を行なうことができる。
【０１０２】
基地局装置１００は、移動局装置２００から送信されるＳＲＳに基づいて、移動局装置２００をスケジューリングし、例えば、ＰＵＳＣＨリソースの割り当てやＰＵＳＣＨに施すべき変調方式、符号化率の決定などを行なうことができる。すなわち、基地局装置１００によって、移動局装置２００に対する効率的なスケジューリングを行なうことができる。
【０１０３】
なお、上記のＳＲＳの設定は、Ａ−ＳＲＳとＰ−ＳＲＳのいずれに適用しても上記に記載したような効果を得ることができる。また、Ａ−ＳＲＳとＰ−ＳＲＳの両方に対して上記のＳＲＳの設定を行なうことにより、ＳＲＳ送受信に用いる回路規模を縮小することができる。
【０１０４】
（第２の実施形態）
本発明に係る第２の実施形態について、図面を参照しながら説明する。本実施形態に係るチャネルの一構成例、基地局装置構成例、移動局装置構成例は、図１〜図３に示した第１の実施形態に係るチャネルの一構成例、基地局装置構成例、移動局装置構成例と同様の構成を用いることができる。
【０１０５】
図１２は、本発明の第２の実施形態に係る送信アンテナ選択の機能の設定の例を示す図である。１つの移動局装置２００は、１つのポートを用いてＰＵＳＣＨを送信するシングルアンテナポートモード（SAPM：Single Antenna Port Mode）と、２つ以上のポートを用いてＰＵＳＣＨを送信することができるマルチプルアンテナポートモード（MAPM：Multiple Antenna Port Mode）とのいずれかのモードを用いてＰＵＳＣＨを送信する。
【０１０６】
複数の送信アンテナを有する移動局装置２００はＳＡＰＭにおいて、複数の送信アンテナのＳＲＳをＴＤＭを用いて送信する。より具体的には、異なるサブフレームのＳＲＳ用ＳＣ−ＦＤＭＡシンボルを用いて、異なる送信アンテナからＳＲＳを送信する。基地局装置１００は、ＳＲＳを測定し、いずれの送信アンテナを用いてＰＵＳＣＨを送信するかを、ＰＵＳＣＨの割り当てを示すＰＵＣＣＨを用いて指定する。この際、ＰＵＣＣＨに適用されたＣＲＣ（Cyclic Redundancy Check）のビット系列を用いて、いずれの送信アンテナを用いるかを指定する。ただし、この送信アンテナ選択の機能を用いるか用いないかは、移動局装置２００が個別に指定する。
【０１０７】
すなわち、送信アンテナ選択の機能を用いる移動局装置２００においては、１ポート送信用のＳＲＳを送信する際は、基地局装置１００は送信アンテナ選択の機能をＯＮにしてＳＲＳのＴＤＭ多重を設定し、送信アンテナ選択の機能を用いない移動局装置２００においては、１ポート送信用のＳＲＳを送信する際は、基地局装置１００は送信アンテナ選択の機能をＯＦＦにしてＳＲＳのＴＤＭ多重を設定しない。同様に、送信アンテナ選択の機能を用いる移動局装置２００においては、基地局装置１００は送信アンテナ選択の機能をＯＮにしてＣＲＣによる送信アンテナの指定を行ない、送信アンテナ選択の機能を用いない移動局装置２００においては、１ポート送信用のＳＲＳを送信する際は、基地局装置１００は送信アンテナ選択の機能をＯＦＦにしてＣＲＣによる送信アンテナの指定を行なわない。
【０１０８】
一方、移動局装置２００が送信アンテナ選択の機能を用いるか用いないかによらず、複数ポート送信用のＳＲＳを送信する際は、基地局装置１００は送信アンテナ選択の機能をＯＦＦにしてＳＲＳのＴＤＭ多重を設定しない。同様に、複数ポート送信用のＳＲＳを送信する際は、基地局装置１００は送信アンテナ選択の機能をＯＦＦにしてＣＲＣによる送信アンテナの指定を行なわない。
【０１０９】
これにより、送信アンテナ選択の機能が効率的に働く１ポート送信時にのみ機能をＯＮにすることができるため、効率的な通信を行なうことができる。
【０１１０】
（ａ）また、本実施形態は、以下のような態様を採ることも可能である。すなわち、本実施形態の基地局装置は、移動局装置と通信を行なう基地局装置であって、前記移動局装置から送信ポートの数を指定する情報を受信し、前記送信ポートの数に応じて設定された多重方法により多重された、前記送信ポート毎のサウンディング参照信号を測定することを特徴としている。
【０１１１】
これにより、送信ポートの数に応じた効率的なサウンディング参照信号の多重方法の設定を行なうことができる。
【０１１２】
（ｂ）また、本実施形態の基地局装置は上記の基地局装置であって、通常のサイクリックプレフィックスよりも長いサイクリックプレフィックスを用いて通信を行なうことを特徴としている。
【０１１３】
これにより、周波数選択性が高い環境においてサウンディング参照信号の直交性を保つような多重方法の設定を行なうことができる。
【０１１４】
（ｃ）また、本実施形態の基地局装置は上記の基地局装置であって、前記送信ポートが所定の値よりも小さい場合に、符号多重された前記サウンディング参照信号を測定することを特徴としている。
【０１１５】
これにより、符号多重された前記サウンディング参照信号の符号間距離が長い環境で、効率的なサウンディング参照信号のスケジューリングを行なうことができる。
【０１１６】
（ｄ）また、本実施形態の基地局装置は上記の基地局装置であって、サイクリックシフトにより符号多重された前記サウンディング参照信号を測定することを特徴としている。
【０１１７】
これにより、性能の高い符号を用いることができる。
【０１１８】
（ｅ）また、本実施形態の基地局装置は上記の基地局装置であって、前記送信ポートが所定の値よりも大きい場合に、符号多重および周波数多重された前記サウンディング参照信号を測定することを特徴としている。
【０１１９】
これにより、周波数選択性が高い環境においてサウンディング参照信号の直交性を保つような多重方法の設定を行なうことができる。
【０１２０】
（ｆ）また、本実施形態の基地局装置は上記の基地局装置であって、サイクリックシフトによる符号多重と櫛形スペクトルの周波数オフセットによる周波数多重とを用いて多重された前記サウンディング参照信号を測定することを特徴としている。
【０１２１】
これにより、周波数選択性が高い環境においてサウンディング参照信号の直交性を保ちつつ、性能の高い符号を用いることができる。
【０１２２】
（ｇ）また、本実施形態の移動局装置は、基地局装置と通信を行なう移動局装置であって、前記基地局装置に送信ポートの数を指定する情報を通知し、前記送信ポートの数に応じて、前記送信ポート毎のサウンディング参照信号の多重方法を設定し、前記多重方法を用いて多重された前記サウンディング参照信号を送信することを特徴としている。
【０１２３】
これにより、送信ポートの数に応じた効率的なサウンディング参照信号の多重方法の設定を行なうことができる。
【０１２４】
（ｈ）また、本実施形態の移動局装置は上記の移動局装置であって、前記送信ポートが所定の値よりも小さい場合に、符号多重により前記サウンディング参照信号を多重することを特徴としている。
【０１２５】
これにより、符号多重された前記サウンディング参照信号の符号間距離が長い環境で、効率的なサウンディング参照信号のスケジューリングを行なうことができる。
【０１２６】
（ｉ）また、本実施形態の移動局装置は上記の移動局装置であって、サイクリックシフトによる符号多重を用いて多重された前記サウンディング参照信号を送信することを特徴としている。
【０１２７】
これにより、性能の高い符号を用いることができる。
【０１２８】
（ｊ）また、本実施形態の移動局装置は上記の移動局装置であって、前記送信ポートが所定の値よりも大きい場合に、符号多重および周波数多重により前記サウンディング参照信号を多重することを特徴としている。
【０１２９】
これにより、周波数選択性が高い環境においてサウンディング参照信号の直交性を保つような多重方法の設定を行なうことができる。
【０１３０】
（ｋ）また、本実施形態の移動局装置は上記の移動局装置であって、サイクリックシフトによる符号多重と櫛形スペクトルの周波数オフセットによる周波数多重とを用いて前記サウンディング参照信号を多重することを特徴としている。
【０１３１】
これにより、周波数選択性が高い環境においてサウンディング参照信号の直交性を保ちつつ、性能の高い符号を用いることができる。
【０１３２】
（ｌ）また、本実施形態の移動局装置は上記の移動局装置であって、前記基地局装置が用いるサイクリックプレフィックスを識別し、前記識別されたサイクリックプレフィックスが通常のサイクリックプレフィックスであるか、通常のサイクリックプレフィックスよりも長いサイクリックプレフィックスであるかに応じて、前記送信ポート毎のサウンディング参照信号の多重方法を設定することを特徴としている。
【０１３３】
これにより、周波数選択性に応じて、サウンディング参照信号の直交性を保ちつつ、性能の高い符号を用いることができる。
【０１３４】
（ｍ）また、本実施形態の移動局装置は上記の移動局装置であって、前記識別されたサイクリックプレフィックスが通常のサイクリックプレフィックスである場合に、符号多重により前記サウンディング参照信号を多重することを特徴としている。
【０１３５】
これにより、周波数選択性に応じて、サウンディング参照信号の直交性を保ちつつ、性能の高い符号を用いることができる。
【０１３６】
（ｎ）また、本実施形態の移動局装置は上記の移動局装置であって、前記識別されたサイクリックプレフィックスが通常のサイクリックプレフィックスよりも長いサイクリックプレフィックスである場合に、符号多重および周波数多重により前記サウンディング参照信号を多重することを特徴としている。
【０１３７】
これにより、周波数選択性が高い場合に、サウンディング参照信号の直交性を保つことができる。
【０１３８】
（ｏ）また、本実施形態の通信システムは、移動局装置と基地局装置との間で通信を行なう通信システムであって、前記移動局装置は、前記基地局装置に送信ポートの数を指定する情報を通知し、前記基地局装置が用いるサイクリックプレフィックスが通常のサイクリックプレフィックスであるか、通常のサイクリックプレフィックスよりも長いサイクリックプレフィックスであるかを識別し、前記送信ポートの数と前記識別した結果とに応じて、前記送信ポート毎のサウンディング参照信号の多重方法を設定し、前記多重方法を用いて多重された前記サウンディング参照信号を送信し、前記基地局装置は、前記送信ポートの数を指定する情報を受信し、前記送信ポート毎のサウンディング参照信号を測定することを特徴としている。
【０１３９】
これにより、送信ポート数と周波数選択性に応じて、サウンディング参照信号の直交性を保ちつつ、効率的なサウンディング参照信号のスケジューリングを行なうことができる。
【０１４０】
（ｐ）また、本実施形態の通信方法は、移動局装置と通信を行なう基地局装置における通信方法であって、前記移動局装置から送信ポートの数を指定する情報を受信するステップと、前記送信ポートの数に応じて設定された多重方法により多重された、前記送信ポート毎のサウンディング参照信号を測定するステップとを有することを特徴としている。
【０１４１】
これにより、送信ポート数に応じて、サウンディング参照信号の直交性を保ちつつ、効率的なサウンディング参照信号のスケジューリングを行なうことができる。
【０１４２】
（ｑ）また、本実施形態の通信方法は、基地局装置と通信を行なう移動局装置における通信方法であって、前記基地局装置に送信ポートの数を指定する情報を通知するステップと、前記送信ポートの数に応じて、前記送信ポート毎のサウンディング参照信号の多重方法を設定し、前記多重方法を用いて多重された前記サウンディング参照信号を送信するステップとを有することを特徴としている。
【０１４３】
これにより、送信ポート数に応じて、サウンディング参照信号の直交性を保ちつつ、効率的なサウンディング参照信号のスケジューリングを行なうことができる。
【０１４４】
以上説明した各実施形態は、基地局装置１００および移動局装置２００に搭載される集積回路／チップセットにも適用される。また、以上説明した実施形態において、基地局装置１００内の各機能や、移動局装置２００内の各機能を実現するためのプログラムをコンピュータ読み取り可能な記録媒体に記録して、この記録媒体に記録されたプログラムをコンピュータシステムに読み込ませ、実行することにより基地局装置１００や移動局装置２００の制御を行なっても良い。なお、ここでいう「コンピュータシステム」とは、ＯＳや周辺機器等のハードウェアを含むものとする。
【０１４５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１４６】
以上、この発明の実施形態について図面を参照して詳述してきたが、具体的な構成はこの実施形態に限られるものではなく、この発明の要旨を逸脱しない範囲の設計等も特許請求の範囲に含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１４７】
本発明は、無線基地局装置や無線移動局装置や無線通信システムや無線通信方法に用いて好適である。
【符号の説明】
【０１４８】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
５０１、５０２、５０３、５０４  送信アンテナポート
５０５、５０６、５０７、５０８  ＳＲＳ
【図１】
0005932706.tif 000008
【図２】
0005932706.tif 000009
【図３】
0005932706.tif 000010
【図４】
0005932706.tif 000011
【図５】
0005932706.tif 000012
【図６】
0005932706.tif 000013
【図７】
0005932706.tif 000014
【図８】
0005932706.tif 000015
【図９】
0005932706.tif 000016
【図１０】
0005932706.tif 000017
【図１１】
0005932706.tif 000018
【図１２】
0005932706.tif 000019